(57)【要約】  【課題】メタルケーブルと光インドアケーブルの分離が容易で、メタルケーブルの絶縁線の取り出し性を保持でき、製造コストの低減を図った複合ケーブルおよび複合ケーブルの製造方法を提供する。  【解決手段】複合ケーブル１はメタルケーブル２と光インドアケーブル３を備える。メタルケーブル２は、絶縁線８，９と、紐１０，１１と、テープ１２とを備える。絶縁線８，９と紐１０，１１は互いに撚り合わされてテープ１２で巻かれている。光インドアケーブル３は、光ファイバ心線２１とテンションメンバー２２，２３を備える。テープ１２の周囲を覆うメタルケーブル側被覆３１と、光ファイバ心線２１およびテンションメンバー２２，２３の周囲を覆う光インドアケーブル側被覆３２とが加圧成型により同時に形成されて、メタルケーブル２と光インドアケーブル３とが一体化されている。【選択図】図１
2008117619.tif 000002
【特許請求の範囲】
【請求項１】
導体を絶縁体でそれぞれ被覆した少なくとも１対の絶縁線と、前記少なくとも１対の絶縁線に巻いたテープとを有するメタルケーブルと、
光ファイバ心線或いは光ファイバテープ心線と、テンションメンバーとを有する光インドアケーブルと、を備え、
前記テープの周囲を覆うメタルケーブル側被覆と、光ファイバ心線或いは光ファイバテープ心線およびテンションメンバーの周囲を覆う光インドアケーブル側被覆とが加圧成型により一体化されていることを特徴とする複合ケーブル。
【請求項２】
前記少なくとも１対の絶縁線は互いに撚り合わされており、前記絶縁線を撚り合わせてできる一つの線条体に前記テープが巻かれていることを特徴とする請求項１に記載の複合ケーブル。
【請求項３】
前記メタルケーブル内における前記少なくとも１対の絶縁線の間に、少なくとも１本の紐が配置されており、前記紐と前記絶縁線とが撚り合わされて前記テープで巻かれていることを特徴とする請求項２叉は３に記載の複合ケーブル。
【請求項４】
前記絶縁体は、高密度の絶縁材で形成されていることを特徴とする請求項１乃至３のいずれか一つに記載の複合ケーブル。
【請求項５】
前記光ファイバ心線或いは光ファイバテープ心線は、前記光インドアケーブル側被覆の中心部に配置されており、前記光インドアケーブル側被覆には、該被覆を引き裂いて前記光ファイバ心線或いは光ファイバテープ心線を外部に露出させるための切り欠き部が長手方向に沿って形成されていることを特徴とする請求項１乃至４のいずれか一つに記載の複合ケーブル。
【請求項６】
前記メタルケーブル側被覆には、該被覆を引き裂いて前記テープを外部に露出させるための切り欠き部が長手方向に沿って形成されていることを特徴とする請求項１乃至５のいずれか一つに記載の複合ケーブル。
【請求項７】
前記メタルケーブル側被覆の表面には、前記少なくとも１対の絶縁線或いは前記少なくとも１対の絶縁線および前記紐を撚り合わせてできる一つの線条体の外形形状によってできる周期的な凹凸が長手方向に沿って形成されていることを特徴とする請求項２乃至６のいずれか一つに記載の複合ケーブル。
【請求項８】
導体を絶縁体でそれぞれ被覆した少なくとも１対の絶縁線にテープを巻く工程と、
前記テープの周囲を覆うメタルケーブル側被覆と、光ファイバ心線或いは光ファイバテープ心線およびテンションメンバーの周囲を覆う光インドアケーブル側被覆とを、加圧成型により一体化する工程と、を備えることを特徴とする複合ケーブルの製造方法。
【請求項９】
前記少なくとも１対の絶縁線を撚り合わせる工程を含み、前記絶縁線の撚り合わせによりできる線条体に前記テープを巻くことを特徴とする請求項８に記載の複合ケーブルの製造方法。
【発明の詳細な説明】
【技術分野】
【０００１】
この発明は、光電話用のメタルケーブルと光インドアケーブルを一体化した複合ケーブルおよび複合ケーブルの製造方法に関する。
【背景技術】
【０００２】
従来、光電話の加入者宅に新規に光インドアケーブルを配線する場合、電話用のメタルケーブルと光インドアケーブルを別々に敷設する必要がある。例えば、図９に示すように、電話機１００とＰＣ（パーソナルコンピュータ）１０１が異なる階にある場合、光インドアケーブル１０２をケース１０３内の光コネクタキャビネットからＯＮＵなどを介してＰＣ１０１まで配線すると共に、メタルケーブル１０４をＰＣ１０１から電話機（専用のＩＰ電話機）１００まで配線する必要がある。或いは、電話機が一般の電話機である場合には、メタルケーブル１０４をＶｏＩＰアダプタ（変換器）から電話機まで配線する必要がある。
【０００３】
なお、符号１０５は、ケース１０３内の保安器から電話機１００まで配線されているメタルケーブルである。また、図９で、符号１１０は光ケーブルの引き込み線であり、符号１１１はメタルケーブルの引き込み線である。光ケーブルの引き込み線１１０はケース１０３内の光コネクタキャビネットで光インドアケーブル１０２と接続され、メタルケーブルの引き込み線１１１はケース１０３内の保安器でメタルケーブル１０５と接続される。
【０００４】
従来、銅線と光ファイバを外被内に収容した複合ケーブルが知られている（例えば、特許文献１参照）。
【特許文献１】特開２００４−２０１４４７号公報
【発明の開示】
【発明が解決しようとする課題】
【０００５】
ところで、上記特許文献１に記載された複合ケーブルでは、工具を使って外被を剥ぎ取らないと、銅線を有するメタルケーブルと光ファイバを有する光インドアケーブルとを分離できないという問題があった。
【０００６】
また、一般に従来のメタルケーブルは、複数の銅線を絶縁体で被覆した絶縁線を内部に有し、樹脂をチューブ状にして外被を形成することで、外被と内部の絶縁線との融着を防止し、絶縁線の取り出し性を保持している。また、一般に従来の光インドアケーブルは、光ファイバ心線或いは光ファイバテープ心線およびテンションメンバーを内部に有し、これらの周囲を覆う外被は、樹脂を加圧成型することにより形成される。
【０００７】
このように、従来のメタルケーブルと従来の光インドアケーブルとでは、樹脂の流れが異なる方法で外被を形成する。そのため、メタルケーブルにおける外被（被覆）と絶縁線との融着を防止して絶縁線の取り出し性を保持しつつ、メタルケーブルと光インドアケーブルを同時に製造することはできなかった。
【０００８】
本発明は、上述した従来の問題に鑑みてなされ、その目的は、メタルケーブルと光インドアケーブルの分離が容易で、メタルケーブルの絶縁線の取り出し性を保持でき、製造コストの低減を図った複合ケーブルおよび複合ケーブルの製造方法を提供することにある。
【課題を解決するための手段】
【０００９】
上記課題を解決するために、本発明の第１の態様に係る複合ケーブルは、導体を絶縁体でそれぞれ被覆した少なくとも１対の絶縁線と、前記少なくとも１対の絶縁線に巻いたテープとを有するメタルケーブルと、光ファイバ心線或いは光ファイバテープ心線と、テンションメンバーとを有する光インドアケーブルと、を備え、前記テープの周囲を覆うメタルケーブル側被覆と、光ファイバ心線或いは光ファイバテープ心線およびテンションメンバーの周囲を覆う光インドアケーブル側被覆とが加圧成型により一体化されていることを要旨とする。
【００１０】
この態様によれば、メタルケーブルにあっては少なくとも１対の絶縁線にテープを巻いてあるので、メタルケーブル側被覆と光インドアケーブル側被覆を加圧成型する際における加圧樹脂の熱によるメタルケーブル側被覆と絶縁線の融着が防止される。これにより、メタルケーブル側被覆を剥ぎ取って内部の絶縁線を露出させる絶縁線の取り出し作業が容易になる。つまり、メタルケーブルの絶縁線の取り出し性を保持することができる。
【００１１】
また、絶縁線の取り出し性を保持しつつ、メタルケーブルと光インドアケーブルを同時に製造できるので、製造コストを低減することができる。
【００１２】
また、メタルケーブルと光インドアケーブルは、メタルケーブル側被覆と光インドアケーブル側被覆とを加圧成型により一体化してできる連結部を介して連結されているので、その連結部を引き裂くだけで両ケーブルを簡単に分離することができる。
【００１３】
さらに、光インドアケーブルは、光ファイバ心線或いは光ファイバテープ心線とテンションメンバーとが光インドアケーブル側被覆で被覆された状態でメタルケーブルと一体化されている。つまり、メタルケーブルと一体化された光インドアケーブルは、上述した一般的な従来の光インドアケーブルと同様の構造であり、メタルケーブルと一体化するために光インドアケーブル側被覆とは別にチューブ状の外被を特別に形成する必要がない。これにより、チューブ状の外被を形成する工程が不要になり、その分製造コストの低減を図れると共に、光ファイバ心線或いは光ファイバテープ心線を外部に露出させる際に、チューブ状の外被を除去する作業も不要になる。
【００１４】
従って、メタルケーブルと光インドアケーブルの分離が容易で、メタルケーブルから絶縁線を容易に取り出すことができ、製造コストの低減を図った複合ケーブルを得ることができる。
【００１５】
本発明の他の態様に係る複合ケーブルは、前記少なくとも１対の絶縁線は互いに撚り合わされており、前記絶縁線を撚り合わせてできる一つの線条体に前記テープが巻かれていることを要旨とする。この態様によれば、メタルケーブルからの絶縁線取り出し性が向上する。
【００１６】
本発明の他の態様に係る複合ケーブルは、前記メタルケーブル内における前記少なくとも１対の絶縁線の間に、少なくとも１本の紐が配置されており、前記紐と前記絶縁線とが撚り合わされて前記テープで巻かれていることを要旨とする。この態様によれば、メタルケーブルからの絶縁線取り出し性が向上するうえ、メタルケーブルの断面形状を円形に近づけることができる。
【００１７】
本発明の他の態様に係る複合ケーブルは、前記絶縁体は、高密度の絶縁材で形成されていることを要旨とする。この態様によれば、加圧樹脂の熱によるメタルケーブル側被覆と絶縁線の融着がより一層防止され、メタルケーブルからの絶縁線の取り出し性がさらに向上する。
【００１８】
ここにいう「高密度」とは、0.941〜0.965ｇ/ｍ２の範囲内の密度をいう。また、「低密度」とは、0.910〜0.925ｇ/ｍ２の範囲内の密度をいう。なお、絶縁材として、例えばポリエチレン（ＰＥ）などが使用される。
【００１９】
本発明の他の態様に係る複合ケーブルは、前記光ファイバ心線或いは光ファイバテープ心線は、前記光インドアケーブル側被覆の中心部に配置されており、前記光インドアケーブル側被覆には、該被覆を引き裂いて前記光ファイバ心線或いは光ファイバテープ心線を外部に露出させるための切り欠き部が長手方向に沿って形成されていることを要旨とする。
【００２０】
この態様によれば、メタルケーブルと光インドアケーブルを分離した状態で、光インドアケーブル側被覆を切り欠き部の箇所で引き裂くことで、内部の光ファイバ心線或いは光ファイバテープ心線が露出する。これにより、メタルケーブルと光インドアケーブルを一体化した複合ケーブルにおいても、従来の光インドアケーブルと同様に光ファイバ心線或いは光ファイバテープ心線を外部に容易に露出させることができる。
【００２１】
本発明の他の態様に係る複合ケーブルは前記メタルケーブル側被覆には、該被覆を引き裂いて前記テープを外部に露出させるための切り欠き部が長手方向に沿って形成されていることを要旨とする。この態様によれば、メタルケーブル側被覆を切り欠き部の箇所で引き裂くことで、内部の絶縁線を外部に容易に露出させることができる。
【００２２】
本発明の他の態様に係る複合ケーブルは、前記メタルケーブル側被覆の表面には、前記少なくとも１対の絶縁線或いは前記少なくとも１対の絶縁線および前記紐を撚り合わせてできる一つの線条体の外形形状によってできる周期的な凹凸が長手方向に沿って形成されていることを要旨とする。
【００２３】
この態様によれば、メタルケーブル側被覆の表面には周期的な凹凸が長手方向に沿って形成されているので、メタルケーブルと光インドアケーブルを分離して各ケーブルを相手方にそれぞれ接続する際に、表面に周期的な凹凸のあるメタルケーブルと、凹凸の無い光インドアケーブルとを薄暗い箇所でも指の触感で容易に判別することができる。
【００２４】
本発明の第２の態様に係る複合ケーブルの製造方法は、導体を絶縁体でそれぞれ被覆した少なくとも１対の絶縁線にテープを巻く工程と、前記テープの周囲を覆うメタルケーブル側被覆と、光ファイバ心線或いは光ファイバテープ心線およびテンションメンバーの周囲を覆う光インドアケーブル側被覆とを、加圧成型により一体化する工程と、を備えることを要旨とする。
【００２５】
この態様によれば、少なくとも１対の絶縁線にテープを巻いた状態で、メタルケーブル側被覆と光インドアケーブル側被覆とを加圧成型により一体化するので、加圧樹脂の熱によるメタルケーブル側被覆と絶縁線の融着が防止される。これにより、メタルケーブルからの絶縁線の取り出し性を保持することができる。また、絶縁線の取り出し性を保持しつつ、メタルケーブルと光インドアケーブルを同時に製造できるので、製造コストを低減することができる。また、加圧成型により一体化してできる連結部を引き裂くだけで両ケーブルを簡単に分離することができる。さらに、メタルケーブルと一体化された光インドアケーブルは、メタルケーブルと一体化するために光インドアケーブル側被覆とは別にチューブ状の外被を特別に形成する必要がない。これにより、チューブ状の外被を形成する工程が不要になり、その分製造コストの低減を図ることができる。従って、メタルケーブルと光インドアケーブルの分離が容易で、メタルケーブルの絶縁線の取り出し性を保持でき、製造コストの低減を図った複合ケーブルを得ることができる。
【００２６】
本発明の他の態様に係る複合ケーブルの製造方法は、前記少なくとも１対の絶縁線を撚り合わせる工程を含み、前記絶縁線の撚り合わせによりできる線条体に前記テープを巻くことを要旨とする。この態様によれば、メタルケーブルからの絶縁線取り出し性が向上する。
【発明を実施するための最良の形態】
【００２７】
本発明を具体化した各実施形態を図面に基づいて説明する。なお、各実施形態の説明において同様の部位には同一の符号を付して重複した説明を省略する。
（第１実施形態）
第１実施形態に係る複合ケーブル１を図１乃至図７に基づいて説明する。
図１は複合ケーブル１の概略構成を示す断面図で、図３のＡ−Ａ線に沿った断面図である。
【００２８】
図２は実際に製造した複合ケーブル１の断面を示す写真である。また、図３は長尺の複合ケーブル１の一部を示す平面図、図４は複合ケーブル１の一部を拡大して示した平面図である。
【００２９】
図１および図３に示すように、複合ケーブル１は、メタルケーブル２と光インドアケーブル３を一体化したものである。
【００３０】
メタルケーブル２は、導体４，５を絶縁体６，７でそれぞれ被覆した１対の絶縁線８，９と、絶縁線８，９の間にそれぞれ配置された紐１０，１１と、テープ１２とを備える。１対の絶縁線８，９と２本の紐１０，１１とは、互いに撚り合わされてテープ１２で巻かれている。
【００３１】
導体４，５の材質は、例えば軟銅線である。絶縁体６，７の材質は、例えばポリエチレン（ＰＥ）である。また、絶縁体６，７は、0.910〜0.925ｇ/ｍ２の範囲内の高密度の絶縁材（例えばＰＥ）で形成されている。
【００３２】
紐１０，１１の材質は、例えばテトロンである。そして、テープ１２は、薄くて強度のある材料、例えば、雁皮紙などの和紙で作製されている。このように、テープ１２として雁皮紙などちぎれ易いものを用いることで、メタルケーブル側被覆３１を引き裂く際に、テープ１２がメタルケーブル側被覆３１にくっついて引きちぎれるので、より絶縁線の取り出し作業が容易になる。
【００３３】
光インドアケーブル３は、光ファイバ心線２１と、テンションメンバー２２，２３とを備える。光ファイバ心線２１は、コアとクラッドからなるガラス光ファイバ２４と、被覆層２５とからなる。
【００３４】
テープ１２の周囲を覆うメタルケーブル側被覆３１と、光ファイバ心線２１およびテンションメンバー２２，２３の周囲を覆う光インドアケーブル側被覆３２とが加圧成型（加圧押出し成型）により同時に形成されて、メタルケーブル２と光インドアケーブル３とが一体化されている。
【００３５】
光ファイバ心線２１は、光インドアケーブル側被覆３２の中心部に配置されている。光インドアケーブル側被覆３２の厚さ方向の両側には、該被覆を引き裂いて光ファイバ心線２１を外部に露出させるための切り欠き部４１，４２が長手方向に沿って形成されている。
【００３６】
また、メタルケーブル２と光インドアケーブル３は、メタルケーブル側被覆３１と光インドアケーブル側被覆３２とを加圧成型により一体化してできる連結部３３（図３参照）を介して連結されている。
【００３７】
そして、メタルケーブル２のメタルケーブル側被覆３１の表面には、図４に示すように、１対の絶縁線８，９および２本の紐１０，１１を撚り合わせてできる一つの線条体の外形形状によってできる周期的な凹凸が長手方向に沿って形成されている。
【００３８】
次に、複合ケーブル１の製造方法の一例を簡単に説明する。
【００３９】
この複合ケーブル１の製造方法は、次の工程を備える。
【００４０】
○１対の絶縁線８，９と２本の紐１０，１１とを互いに撚り合わる工程。
【００４１】
○撚り合わされた１対の絶縁線８，９と２本の紐１０，１１の周囲にテープ１２を巻く工程。
【００４２】
○テープ１２の周囲を覆うメタルケーブル側被覆３１と、光ファイバ心線２１およびテンションメンバー２２，２３の周囲を覆う光インドアケーブル側被覆３２とを、加圧成型により一体化する工程。
【００４３】
この製造方法により実際に製造された複合ケーブル１の断面を、図２の写真で示してある。この写真および図１から、１対の絶縁線８，９と２本の紐１０，１１の周囲に巻いたテープ１２が、加圧成型時の樹脂の圧力で一対の絶縁線８，９および２本の紐１０，１１の外周面に密着していることが分かる。
【００４４】
また、図７は、本実施形態に係る複合ケーブル１を、光電話の加入者宅に新規に配線する場合の説明図である。光電話の加入者宅に新規に光インドアケーブルを配線する場合、複合ケーブル１をケース１０３内の光コネクタキャビネットおよび保安器と、ＰＣ１０１との間に配線するだけでよい。
【００４５】
複合ケーブル１の光インドアケーブル３の一端側は、ケース１０３内の光コネクタキャビネットで光ケーブルの引き込み線１１０と接続され、その他端側はＯＮＵなどを介してＰＣ１０１まで配線される。一方、複合ケーブル１のメタルケーブル２の一端側は、ケース１０３内の保安器でメタルケーブル１０５と接続され、その他端側はＰＣ１０１に配線する。
【００４６】
以上の構成を有する第１実施形態によれば、以下のような作用効果を奏する。
○メタルケーブル２にあっては１対の絶縁線８，９および２本の紐１０，１１にテープ１２を巻いてあるので、メタルケーブル側被覆３１と光インドアケーブル側被覆３２を加圧成型する際における加圧樹脂の熱によるメタルケーブル側被覆３１と絶縁線８，９の融着が防止される。これにより、図６に示すように、メタルケーブル側被覆３１の端部を剥ぎ取って内部の絶縁線８，９を露出させる絶縁線の取り出し作業が容易になる。つまり、メタルケーブル２の絶縁線の取り出し性を保持することができる。
○メタルケーブル側被覆３１と光インドアケーブル側被覆３２を加圧成型により一体に形成することで、メタルケーブル２の絶縁線の取り出し性を保持しつつ、メタルケーブル２と光インドアケーブル３を同時に製造できるので、複合ケーブル１の製造コストを低減することができる。
○メタルケーブル２と光インドアケーブル３は、メタルケーブル側被覆３１と光インドアケーブル側被覆３２とを加圧成型により一体化してできる連結部３３を介して連結されているので、その連結部３３を図５に示すように手で引き裂くだけで両ケーブル２，３を簡単に分離することができる。
○光インドアケーブル３は、光ファイバ心線２１とテンションメンバーとが光インドアケーブル側被覆３２で被覆され状態でメタルケーブル２と一体化されている。つまり、メタルケーブル２と一体化された光インドアケーブル３は、上述した一般的な従来の光インドアケーブルと同様の構造であり、メタルケーブル２と一体化するために光インドアケーブル側被覆３２とは別にチューブ状の外被を特別に形成する必要がない。これにより、チューブ状の外被を形成する工程が不要になり、その分製造コストの低減を図れると共に、光ファイバ心線２１を外部に露出させる際に、チューブ状の外被を除去する作業も不要になる。
○メタルケーブル２と光インドアケーブル３の分離が容易で、メタルケーブル２の絶縁線８，９の取り出し性を保持でき、製造コストの低減を図った複合ケーブル１を得ることができる。
○１対の絶縁線８，９および２本の紐１０，１１は互いに撚り合わされており、これらを撚り合わせてできる一つの線条体にテープ１２が巻かれているので、メタルケーブル２からの絶縁線８，９取り出し性が向上するうえ、メタルケーブルの断面形状を円形に近づけることができる。
○１対の絶縁線８，９の絶縁体６，７は、0.910〜0.925ｇ/ｍ２の範囲内の高密度の絶縁材（例えばＰＥ）で形成されているので、加圧樹脂の熱によるメタルケーブル側被覆３１と絶縁線８，９の融着がより一層防止され、メタルケーブル２の絶縁線の取り出し性がさらに向上する。
○光ファイバ心線２１は、光インドアケーブル側被覆３２の中心部に配置されており、光インドアケーブル側被覆３２には、該被覆を引き裂いて光ファイバ心線２１を外部に露出させるための切り欠き部４１，４２が長手方向に沿って形成されている。このため、メタルケーブル２と光インドアケーブル３を分離した状態で、光インドアケーブル側被覆３２を切り欠き部４１，４２の箇所で引き裂くことで、内部の光ファイバ心線２１が露出する。これにより、メタルケーブル２と光インドアケーブル３を一体化した複合ケーブル１においても、従来の光インドアケーブルと同様に光ファイバ心線２１を外部に容易に露出させることができる。
○メタルケーブル側被覆３１の表面には周期的な凹凸（図４参照）が長手方向に沿って形成されているので、メタルケーブル２と光インドアケーブル３を分離して各ケーブル２，３を相手方にそれぞれ接続する際に、表面に周期的な凹凸のあるメタルケーブル２と、凹凸の無い光インドアケーブル３とを薄暗い箇所でも指の触感で容易に判別することができる。
○光電話の加入者宅に新規に光インドアケーブルを配線する場合、図７に示すように、複合ケーブル１をケース１０３内の光コネクタキャビネットおよび保安器と、ＰＣ１０１との間に配線すればよく、図９に示す上記従来例のように、メタルケーブル１０４をＰＣ１０１から電話機１００まで配線する必要がない。従って、本実施形態に係る複合ケーブル１を使用することで、図９に示すメタルケーブル１０４の配線を省略でき、工事の簡略化を図ることができる。
（第２実施形態）
図８は、第２実施形態に係る複合ケーブル１Ａの概略構成を示す断面図である。
【００４７】
この複合ケーブル１Ａは、上記第１実施形態に係る複合ケーブル１において、メタルケーブル側被覆３１に、該被覆を引き裂いてテープ１２を外部に露出させるための切り欠き部３５，３６を長手方向に沿って形成したものである。その他の構成は上記第１実施形態と同様である。
【００４８】
以上の構成を有する第２実施形態によれば、上記第１実施形態の奏する作用効果に加えて以下のような作用効果を奏する。
○メタルケーブル側被覆３１を切り欠き部３５，３６の箇所で引き裂くことで、内部の絶縁線８，９を外部に容易に露出させることができる。
【００４９】
なお、この発明は以下のように変更して具体化することもできる。
・上記各実施形態では、テープ１２を雁皮紙などの和紙で作製したが、テープ１２は、和紙に限らず、薄くて強度のある材料、例えば、ＰＥＴ（ポリエチレンテレフタレート）樹脂など作製した不織布であっても良い。
・上記各実施形態では、１本の光ファイバ心線２１を有する光インドアケーブル３とメタルケーブルを一体化した複合ケーブル１，１Ａについて説明したが、本発明はこのような構成に限定されない。例えば、複数本の光ファイバ心線を有する構成或いは複数の光ファイバ心線が１或いは複数列に配置した光ファイバテープ心線を有する構成の光インドアケーブル３とメタルケーブルを一体化した複合ケーブルにも本発明は適用可能である。
・上記各実施形態では、１対の絶縁線８，９と２本の紐１０，１１を有するメタルケーブル２と光インドアケーブル３を一体化した複合ケーブルについて説明したが、本発明はこのような構成に限定されない。例えば、複数対の絶縁線のみを有する構成、或いは複数対の絶縁線と１本或いは複数本の紐とを有する構成のメタルケーブル２と光インドアケーブル３を一体化した複合ケーブルにも本発明は適用可能である。
・上記各実施形態では、メタルケーブル２の断面が円形であるが、その断面形状は円形に限らず、矩形或いは楕円形であっても良い。
・上記各実施形態では、光インドアケーブル３の断面が矩形であるが、その断面形状は矩形に限らず、楕円形或いは円形であっても良い。
・上記第１実施形態の複合ケーブル１における切り欠き部４１，４２や、第２実施形態の複合ケーブル１Ａにおける切り欠き部３５，３６の形状、大きさ或いは深さなどは、図１、図２および図８に示す構成のものに限らず、その形状や大きさなどを適宜変更した構成の複合ケーブルにも本発明は適用可能である。
【図面の簡単な説明】
【００５０】
【図１】本発明の第１実施形態に係る複合ケーブルの概略構成を示す断面図。
【図２】実際に製造した複合ケーブルの断面を示す写真。
【図３】長尺の複合ケーブルの一部を示す平面図。
【図４】複合ケーブル１の一部を拡大して示した平面図。
【図５】メタルケーブルと光インドアケーブルの端部を引き裂いた状態を示す平面図。
【図６】メタルケーブル内部の絶縁線を外部に露出させた状態を示す平面図。
【図７】第１実施形態に係る複合ケーブル１を加入者宅に配線する場合の説明図。
【図８】本発明の第１実施形態に係る複合ケーブルの概略構成を示す断面図。
【図９】従来例で加入者宅に配線する場合の説明図。
【符号の説明】
【００５１】
１，１Ａ…複合ケーブル、２…メタルケーブル、３…光インドアケーブル、４，５…導体、６，７…絶縁体、８，９…絶縁線、１０，１１…紐、１２…テープ、２１…光ファイバ心線、２２，２３…テンションメンバー、２４…ガラス光ファイバ、２５…被覆層、３１…メタルケーブル側被覆、３２…光インドアケーブル側被覆、３３…連結部、３５，３６…切り欠き部、４１，４２…切り欠き部。
【図１】
2008117619.tif 000003
【図２】
2008117619.tif 000004
【図３】
2008117619.tif 000005
【図４】
2008117619.tif 000006
【図５】
2008117619.tif 000007
【図６】
2008117619.tif 000008
【図７】
2008117619.tif 000009
【図８】
2008117619.tif 000010
【図９】
2008117619.tif 000011